(57)【要約】【課題】容器の有効容積を減じることなく、容器内部の緩衝機能と乾燥機能を併せもった容器を提供する。【解決手段】容器１は、容器本体２と、その開口部４に装着するキャップ３と、容器内部の緩衝部材８とにより構成される。容器内部の緩衝部材８は、乾燥剤を混入した熱可塑性樹脂の成形体で構成される。容器内部の緩衝部材８は、キャップ３の天面７の裏面に一体に備えられている。容器内部の緩衝部材８は、伸縮可能な蛇腹部を有する筒状に形成されている。容器内部の緩衝部材８は、化学式ＭｇＳＯ４・ｎＨ２Ｏ（ただし、０≦ｎ≦３）で示される硫酸マグネシウムが混入された熱可塑性樹脂で構成される。【選択図】　　　　図１
2004090959.tif 000002
【特許請求の範囲】
【請求項１】
容器本体と、その開口部に装着するキャップと、容器内部の緩衝部材とでなる容器であって、容器内部の緩衝部材は、乾燥剤を混入した熱可塑性樹脂の成形体で構成されていることを特徴とする容器。
【請求項２】
容器内部の緩衝部材は、キャップの裏面に一体に備えられていることを特徴とする請求項１記載の容器。
【請求項３】
容器内部の緩衝部材は、容器本体の開口部に嵌め込む中栓と一体に備えられていることを特徴とする請求項１記載の容器。
【請求項４】
容器内部の緩衝部材は、ブロー成形によって上壁、周側壁、底壁からなる筒状の中空体に一体に形成されており、周側壁には伸縮可能な蛇腹部を有し、周側壁または底壁には貫通孔を有することを特徴とする請求項１ないし３のいずれかに記載の容器。
【請求項５】
容器内部の緩衝部材は、化学式ＭｇＳＯ４・ｎＨ２Ｏ（ただし、０≦ｎ≦３）で示される硫酸マクネシウムが混入された熱可塑性樹脂により形成されていることを特徴とする請求項１ないし４のいずれかに記載の容器。
【発明の詳細な説明】
【０００１】
【発明の属する技術分野】
本発明は、錠剤、顆粒状物、粒状物などの容器であって、容器内部の内容物を緩衝性をもって押さえる緩衝機能と容器内部の乾燥性を備えた容器に関するものである。
【０００２】
【従来の技術】
錠剤、顆粒状物、粒状物などの容器であって、容器内部の内容物に対する緩衝機能を備えた容器は、特開２００１−８８８６１号公報に記載されているものが知られている。また、容器本体内の底部に乾燥剤を装填した容器は、特開平９−１２０６４号公報に記載されているものが知られている。
【０００３】
【発明が解決しようとする課題】
前掲の特開２００１−８８８６１号公報に記載されている容器は、容器本体の開口部にキャップを装着すると、容器内部に収納されている内容物が緩衝部材で押さえられて、内容物の量にかかわらずが保護されるようになっており、また、特開平９−１２０６４号公報に記載されている容器は、容器内部を乾燥状態に保つことができるものである。
【０００４】
ところで、特開平９−１２０６４号公報に記載されている容器にあっては、容器内部に乾燥剤を装填するため、容器の有効容量が乾燥剤の分だけ減じられてしまう欠点がある。また、特開２００１−８８８６１号公報に記載されている容器にあっても、容器内部を乾燥状態に保つ必要がある場合には、容器本体内に乾燥剤を装填することになるので、同様に容器の有効容量が乾燥剤の分だけ減じられてしまうことになる。
【０００５】
そこで、本発明は、このような従来の容器における問題点を解決しようとするものであって、容器内部の緩衝部材を、乾燥剤を混入した熱可塑性樹脂の成形体で構成することにより、容器の有効容積を減じることなく、容器内部の緩衝機能と乾燥機能を併せもった容器を提供することを目的とするものである。
【０００６】
【課題を解決するための手段】
本発明は、上記目的を達成するため、請求項１ないし５に記載した容器を提供する。すなわち、請求項１に係る容器は、容器本体と、その開口部に装着するキャップと、容器内部の緩衝部材とでなる容器であって、容器内部の緩衝部材は、乾燥剤を混入した熱可塑性樹脂の成形体で構成されていることを特徴とするものである。
【０００７】
請求項２に係る容器は、請求項１の構成において、容器内部の緩衝部材は、キャップの裏面に一体に備えられていることを特徴とするものである。
【０００８】
請求項３に係る容器は、請求項１の構成において、容器内部の緩衝部材は、容器本体の開口部に嵌め込む中栓と一体に備えられていることを特徴とするものである。
【０００９】
請求項４に係る容器は、請求項１ないし３のいずれか構成において、容器内部の緩衝部材は、ブロー成形によって上壁、周側壁、底壁からなる筒状の中空体に一体に形成されており、周側壁には伸縮可能な蛇腹部を有し、周側壁または底壁には貫通孔を有することを特徴とするものである。
【００１０】
請求項５に係る容器は、請求項１ないし４のいずれか構成において、容器内部の緩衝部材は、化学式ＭｇＳＯ４・ｎＨ２Ｏ（ただし、０≦ｎ≦３）で示される硫酸マクネシウムが混入された熱可塑性樹脂により形成されていることを特徴とするものである。
【００１１】
【発明の実施の形態】
図１は本発明の一実施の形態に係る容器の縦断正面図、図２は本発明の他の実施の形態に係る容器の縦断正面図、図３は本発明のさらに他の実施の形態に係る容器の一部破断正面図である。
【００１２】
図１において、１は容器、２はその容器本体、３はキャップであり、キャップ３は、容器本体の開口部４に装着して容器１を密封するものである。この実施の形態においては、容器本体２の開口部４に対してキャップ３が被さるようにねじ込むようになっており、容器本体２の開口部４の外周面には雄ネジ５が、キャップ３の内周面には雌ねじ６がそれぞれ形成されている。容器本体２およびキャップ３は、熱可塑性樹脂の成形体でなるものである。
【００１３】
キャップ３には、その天面７の裏面に緩衝部材８が取り付けられている。この緩衝部材８は、その先端側に蛇腹部９を有しており、緩衝部材８の基端部１０はその係止凹部１１をキャップ３の天面７の裏面の係止凸部１２に嵌合して、キャップ３に対して緩衝部材８を一体としている。緩衝部材８は、容器本体２の開口部４の内径よりやや小さい外径の円筒状であって、その内部は中空部２１となっている。
【００１４】
本発明の緩衝部材８は各種成形方法によって成形することができるが、特にブロー成形が好適である。まず、熱可塑性樹脂と乾燥剤を１００〜３５０℃で混練する。乾燥剤を添加した熱可塑性樹脂をヘッドより押出し筒状のパリソンとして分割金型間に垂下させる。その後、分割金型を閉じてパリソンを挟み込み、エアを吹き込み金型キャビティにパリソンを押し当てて緩衝部材８を形成する。
【００１５】
緩衝部材８は上壁１８、周側壁１９、底壁２０からなり、略閉じられた中空部２１を有するように円筒状一体に形成されており、周側壁１９には伸縮可能な蛇腹部９を有し、周側壁１９または底壁２０には貫通孔１７を有する。これにより緩衝部材８は、適切な強度を有し、キャップへの取付けが容易であり、内容物を緩衝性をもって押さえることができるとともに、その表面積が大きく形成され、乾燥剤と容器内の空気中にある水分との接触面積が大きく、効率的な吸湿性を有する。緩衝部材８は、容器内部上方の内容物のない空間に位置しており、容器内部の空気中にある水分と乾燥剤との接触面積を大きくすることができ、効率的な湿気の吸収により、容器内部を好適に乾燥状態とすることができる。特に、貫通孔１７を設けた場合には緩衝部材８の内部と容器内部の空気が連通されていることにより、蛇腹部９の緩衝性が向上するとともに水分と乾燥剤との接触面積をさらに大きくすることができる。
【００１６】
また、本発明の緩衝部材８は多層に構成することもでき、他の樹脂層を積層させることにより他の機能を持たせることができる。特に、内層または外層にポリオレフィン系樹脂層を設けることにより、乾燥剤を混練した樹脂層を薄くすることができ、成形性を良好にし乾燥剤の使用量を減らして好適な吸湿性を有する緩衝部材８を形成することができる。
【００１７】
乾燥剤としては、熱可塑性樹脂に対して分散性が良好なものが好適であり、成形性を阻害しないものであることが必要である。次にそれに適合する乾燥剤を例示する。
【００１８】
シリカゲル、塩化カルシウム、塩化ナトリウム、塩化マグネシウム、第二燐酸ナトリウム、塩化アンモニウム、スクロース、炭酸カリウム、カリウムミョウバン、硝酸ナトリウム、硝酸アンモニウム、第一硝酸アンモニウム、臭化カリウム、生石灰、ゼオライト、化学式ＭｇＳＯ４・ｎＨ２Ｏ（ただし、０≦ｎ≦３）で示される硫酸マグネシウム、酸化アルミニウム、酸化バリウム、酸化カルシウム、酸化ケイ素などである。そのうちで、化学式ＭｇＳＯ４・ｎＨ２Ｏ（ただし、０≦ｎ≦３）で示される硫酸マグネシウムは、熱可塑性樹脂への分散性が良好で、成形性・加工性にすぐれるので、緩衝部材８の構成材として好適である。
【００１９】
また、乾燥剤は熱可塑性樹脂１００重量部に対して５〜４００重量部添加される。好適には、５〜５０重量部添加される。これにより、成形性を阻害することなく十分な吸湿性を有する緩衝部材８を形成することができる。
【００２０】
図１に示す容器１において、容器本体２内に収納した内容物（図示せず）は、容器本体２の開口部４にキャップ３を装着すると、緩衝部材８が開口部４から容器本体２内に挿入されて内容物を緩衝性をもって押さえられる。そして、緩衝部材８は乾燥剤を混入した熱可塑性樹脂で構成されているから、緩衝部材８は容器内の湿気を吸収して乾燥状態が保たれる。
【００２１】
図２に示す実施の形態においては、容器本体２の開口部４に嵌め込む中栓１３を備えており、緩衝部材８は中栓１３に一体に設けられている。この実施の形態におけるキャップ３は、容器本体２の開口部４に中栓１３を嵌めたうえ、それを覆うように装着する形状となっている。なお、その他の構成は図１に示すものと同等である。
【００２２】
図３に示す実施の形態においては、緩衝部材８として、内容物に対する当て面部１４を伸縮可能な支持片１５で基部１６に支持した構成のものを備えている。この実施の形態の緩衝部材８はその基部１６がキャップ３に取り付けられているものである。キャップ３は不正開封を防止したものでタンパーエビデント性を有する引き裂き帯２２がキャップ３に薄肉部２３を介して一体に形成されている。引き裂き帯２２によって容器１に嵌合固定されたキャップ３は引き裂き帯２２を薄肉部２３より引き裂くことで容器１から脱着自在となる。この実施の形態に係る緩衝部材８においては、その当て面部１４を構成する熱可塑性樹脂に乾燥剤を混入しているが、乾燥剤は支持片１５にも乾燥剤を混入してもよい。この実施の形態の緩衝部材８を中栓に設けることもできる。なお、その他の構成は図１に示すものと同等である。
【００２３】
【発明の効果】
本発明によれば、容器内部の緩衝部材を、乾燥剤を混入した熱可塑性樹脂の成形体で構成することにより、容器の有効容積を減じることなく、容器内部の緩衝機能と乾燥機能を併せもった容器を得ることができるものである。
【図面の簡単な説明】
【図１】本発明の一実施の形態に係る容器の縦断正面図である。
【図２】本発明の他の実施の形態に係る容器の縦断正面図である。
【図３】本発明のさらに他の実施の形態に係る容器の一部破断正面図である。
【符号の説明】
１　容器
２　容器本体
３　キャップ
４　開口部
５　雄ネジ
６　雌ネジ
７　天面
８　緩衝部材
９　蛇腹部
１０　基端部
１１　係止凹部
１２　係止凸部
１３　中栓
１４　当て面
１５　支持片
１６　基部
１７　貫通孔
１８　上壁
１９　周側壁
２０　底壁
２１　中空部
２２　引き裂き帯
２３　薄肉部
【図１】
2004090959.tif 000003
【図２】
2004090959.tif 000004
【図３】
2004090959.tif 000005